(57)【要約】【課題】浴槽から排出された浴槽排水を貯留タンクにて一時的に貯留してから再利用する構成において、貯留タンクを好適に設置する。【解決手段】浴室ユニット３１は、浴室１５の床面を形成する浴室床パン３７と浴槽３８とを一体に有している。浴室床パン３７と浴槽３８とは横並びで設けられており、浴室床パン３７は浴槽３８の底部より上方に配置されている。浴室ユニット３１は支持フレームにより支持されており、支持フレームは受小梁２７上に載置されている。支持フレームは受小梁２７に対して上方に起立した起立部を有しており、起立部は浴室床パン３７を支持するとともに、浴室床パン３７の下方に浴室床下空間を形成している。浴室床下空間には、浴槽３８から排出された浴槽排水を一時的に貯留する貯留タンク５１が設けられており、貯留タンク５１には浴槽排水を脱衣室１６へ給送する給送手段が接続されている。【選択図】図１
2011017232.tif 000002
【特許請求の範囲】
【請求項１】
浴槽に配管を介して接続され同浴槽から排出される浴槽排水を貯留する貯留タンクを備え、
前記貯留タンクが、前記浴槽の底面よりも高い位置に設けられた洗い場床パネルの下方空間である浴室床下空間に取り付けられており、
前記貯留タンクには、同タンク内の貯留水を浴室外の給送先に給送する給送手段が接続されていることを特徴とする浴室の排水装置。
【請求項２】
前記浴槽と前記洗い場床パネルとを一体に有してなる浴室ユニットが、建物の梁材上に設置された支持部材により支持されており、
前記支持部材は、前記梁材から上方に延びて前記洗い場床パネルを支持しているとともに、前記貯留タンクを設置するための前記浴室床下空間を形成していることを特徴とする請求項１に記載の浴室の排水装置。
【請求項３】
前記貯留タンクは、前記梁材と前記洗い場床パネルとの間に、前記梁材よりも下方に突出することなく設置されていることを特徴とする請求項２に記載の浴室の排水装置。
【請求項４】
前記梁材に取り付けられた状態で前記洗い場床パネルの下面と平行に下側断熱材が設けられており、
前記貯留タンクは、前記洗い場床パネルと前記下側断熱材との間に設けられていることを特徴とする請求項２又は３に記載の浴室の排水装置。
【請求項５】
前記洗い場床パネルの下面に沿って且つ前記下側断熱材の上方に上側断熱材が設けられており、
前記貯留タンクは、前記上側断熱材と前記下側断熱材との間に設けられていることを特徴とする請求項４に記載の浴室の排水装置。
【請求項６】
前記給送手段は、前記浴室とそれに隣接して設けられる脱衣室との間を仕切る仕切壁に沿って上下方向に設けられる給水配管と、前記給水配管の途中に設けられる給水用ポンプと、前記給水配管の終端部に設けられる脱衣室側水栓装置とを備えていることを特徴とする請求項１乃至５のいずれか１項に記載の浴室の排水装置。
【請求項７】
前記貯留タンクの上部には、該貯留タンク内の水位が所定レベル以上になることで水を排出するオーバーフロー排水口が設けられていることを特徴とする請求項１乃至６のいずれか１項に記載の浴室の排水装置。
【請求項８】
前記浴室の床部にはメンテナンス窓部が設けられており、
前記貯留タンク及び前記給送手段の少なくともいずれかが、前記浴室床下空間において前記メンテナンス窓部の下方に移動可能になっていることを特徴とする請求項１乃至７のいずれか１項に記載の浴室の排水装置。
【発明の詳細な説明】
【技術分野】
【０００１】
本発明は、浴室の排水装置に関するものである。
【背景技術】
【０００２】
浴槽に貯められた残り湯を中水として再利用する技術が提案されている。例えば特許文献１には、浴槽が配管により再利用水タンクを介して洗濯機及び便器と接続されており、再利用水タンクが地下に設置されている構成が記載されている。この構成によれば、浴槽から排出された浴槽排水が再利用水タンクに貯留されていれば、浴槽に残り湯が入っていない場合や住人等が入浴している場合でも、浴槽排水を洗濯機や便器にて再利用することが可能となる。この結果、浴槽排水を再利用するに際して浴槽排水の使い勝手を向上させることができる。
【先行技術文献】
【特許文献】
【０００３】
【特許文献１】特開平７−６０２３２号公報
【発明の概要】
【発明が解決しようとする課題】
【０００４】
しかしながら、再利用水タンク等の貯留タンクが地下に埋設されている構成では、貯留タンクの設置に際して作業が困難になることや作業負担が増加することが想定される。そこで、貯留タンクを浴室や脱衣室に設置する構成が考えられるが、この構成では居住空間が狭くなることや貯留タンクが邪魔になることが想定される。したがって、貯留タンクの設置に関して改善の余地がある。
【０００５】
本発明は、浴槽から排出された浴槽排水を貯留タンクにて一時的に貯留してから再利用する構成において、貯留タンクを好適に設置することを主たる目的とする。
【課題を解決するための手段】
【０００６】
上記課題を解決するために、第１の発明は、浴槽に配管を介して接続され同浴槽から排出される浴槽排水を貯留する貯留タンクを備え、前記貯留タンクが、前記浴槽の底面よりも高い位置に設けられた洗い場床パネルの下方空間である浴室床下空間に取り付けられており、前記貯留タンクには、同タンク内の貯留水を浴室外の給送先に給送する給送手段が接続されていることを特徴とする。
【０００７】
第1の発明によれば、浴槽から排出された浴槽排水を貯留タンクにて一時的に貯留してから所望とする給送先に給送し、その給送先にて再利用する構成において、貯留タンクが浴室床下空間に取り付けられている。ここで、洗い場床パネルが浴槽の底面よりも高い位置に設けられている浴室において、浴槽のまたぎ高さが低くなることにより浴槽への出入りが容易になっている一方で、洗い場床パネルの下方空間である浴室床下空間がデッドスペースとなっている場合、そのデッドスペースに貯留タンクが設置されていることになる。この場合、貯留タンクが設置されている構成に比べて浴室等の居住空間が狭くなることを回避しつつ、貯留タンクが地下に埋設されている構成に比べて設置作業の負担を軽減することが可能となる。つまり、貯留タンクを好適に設置することができる。
【０００８】
なお、貯留タンク内の貯留水が給送される給送先としては、洗濯機に給水する洗濯機用水栓や、便器に給水する便器用水栓などが挙げられる。
【０００９】
第２の発明では、前記浴槽と前記洗い場床パネルとを一体に有してなる浴室ユニットが、建物の梁材上に設置された支持部材により支持されており、前記支持部材は、前記梁材から上方に延びて前記洗い場床パネルを支持しているとともに、前記貯留タンクを設置するための前記浴室床下空間を形成している。
【００１０】
第２の発明によれば、梁材上において支持部材に浴室ユニットを支持させた結果、貯留タンクを設置するための浴室床下空間が洗い場床パネルの下方に形成されることになる。この場合、支持部材が洗い場床パネルを支持する役割と浴室床下空間を形成する役割とを両方とも果たすことになるため、浴室床下空間を形成するための専用部材を支持部材の他に設ける必要がない。したがって、貯留タンクを浴室床下空間に設置する構成において、部品点数の増加を抑制できる。
【００１１】
第３の発明では、前記貯留タンクは、前記梁材と前記洗い場床パネルとの間に、前記梁材よりも下方に突出することなく設置されている。
【００１２】
第３の発明によれば、浴室床下空間に設置された貯留タンクは梁材よりも下方に突出していないため、梁材の下方に配管や断熱材等を設ける構成において支障が生じない。また、ユニット式建物への適用を考えらた場合、建物ユニットの運搬や施工において好都合な構成となる。
【００１３】
第４の発明では、前記梁材に取り付けられた状態で前記洗い場床パネルの下面と平行に下側断熱材が設けられており、前記貯留タンクは、前記洗い場床パネルと前記下側断熱材との間に設けられている。
【００１４】
浴室の保温性を高めるために、浴室の床下に断熱材が設けられていることがある。この構成において、第４の発明のように床下の断熱材の上方に貯留タンクが設置されていると、浴室の保温に加えて貯留タンクの保温が可能となる。
【００１５】
第５の発明では、前記洗い場床パネルの下面に沿って且つ前記下側断熱材の上方に上側断熱材が設けられており、前記貯留タンクは、前記上側断熱材と前記下側断熱材との間に設けられている。
【００１６】
第５の発明によれば、貯留タンクが上側断熱材と下側断熱材との間に設けられているため、貯留タンクに対する保温効果をより一層高めることができる。しかも、上側断熱材が洗い場床パネルの下面に沿って設けられているため、洗い場床パネルに対する保温効果をより一層高めることができる。
【００１７】
第６の発明では、前記給送手段は、前記浴室とそれに隣接して設けられる脱衣室との間を仕切る仕切壁に沿って上下方向に設けられる給水配管と、前記給水配管の途中に設けられる給水用ポンプと、前記給水配管の終端部に設けられる脱衣室側水栓装置とを備えている。
【００１８】
第６の発明によれば、給送手段により浴槽排水を脱衣室に供給する構成において、浴室と脱衣室との仕切壁に沿って延びるスペースを配管スペースとして有効に利用することができる。また、浴室と脱衣室とが隣接しているため、給水用ポンプの小型化を図ることができる。
【００１９】
なお、脱衣室側水栓装置から洗濯機へ浴槽排水が供給される構成であれば、脱衣室にて浴槽排水を利用して洗濯を行うことができる。
【００２０】
第７の発明では、前記貯留タンクの上部には、該貯留タンク内の水位が所定レベル以上になることで水を排出するオーバーフロー排水口が設けられている。
【００２１】
第７の発明によれば、貯留タンクにおいてはオーバーフロー排水口から貯留水が排出されることにより、貯留タンク内の水位が所定レベルに達しても浴槽からの浴槽排水を貯留タンクに流し込むことが可能となる。また、この場合、貯留タンクにおいては水の入れ替えが促されることになるため、新規の浴槽排水を貯留水として貯留タンクに貯留することが可能となる。
【００２２】
第８の発明では、前記浴室の床部にはメンテナンス窓部が設けられており、前記貯留タンク及び前記給送手段の少なくともいずれかが、前記浴室床下空間において前記メンテナンス窓部の下方に移動可能になっている。
【００２３】
第８の発明によれば、作業者は居室の床下に入り込むことなく浴室内に居ながらにして貯留タンクや給送手段のメンテナンスを容易に行うことができる。
【図面の簡単な説明】
【００２４】
【図１】本実施形態における浴室周辺の構成を示す平面図。
【図２】浴室周辺の構成を示す断面図。
【図３】支持フレームの構成を示す斜視図。
【図４】浴室周辺の水の流れ及び電気的な構成を示すブロック図。
【図５】ユニット式建物の概要を示す斜視図。
【図６】浴室用の建物ユニットの構成を示す図。
【図７】別の浴室周辺の構成を示す断面図。
【発明を実施するための形態】
【００２５】
以下、本発明を具体化した一実施形態を図面に基づいて説明する。本実施形態では、鉄骨ユニット工法により構築された２階建てユニット式建物に本発明を具体化している。図５はユニット式建物１０の概要を示す斜視図、図６は浴室用の建物ユニット２０ａの構成を示す図である。
【００２６】
図５に示すように、住宅等のユニット式建物１０は、建物本体１１と、建物本体１１の上方に配設された屋根１２とを含んで構成されている。建物本体１１は、複数の建物ユニット２０が上下２層に連結されることで形成されており、これら建物ユニット２０の１階部分には、浴室１５及び脱衣室１６を構成する浴室用の建物ユニット２０ａが含まれている。
【００２７】
図６（ａ）に示すように、建物ユニット２０ａにおいては、その四隅に柱２１が配され、各柱２１の上端部及び下端部がそれぞれ４本の天井大梁２２、床大梁２３により連結されている。それら柱２１、天井大梁２２及び床大梁２３により直方体状の骨格（フレーム）が形成されており、柱２１は四角筒状の角形鋼よりなる。また、天井大梁２２及び床大梁２３は断面コ字状の溝形鋼よりなり、その開口部が向き合うようにして設置されている。建物ユニット２０ａにおいて長辺部の相対する天井大梁２２の間には、所定間隔で複数の天井小梁２４が架け渡されている。
【００２８】
図６（ｂ）に示すように、建物ユニット２０ａにおいては、浴室１５が形成される浴室スペースＳ１と、脱衣室１６が形成される脱衣室スペースＳ２とが隣接して配置されるようになっている。建物ユニット２０ａにおいて長辺部の相対する床大梁２３の間には、所定間隔で複数の床小梁２５及び複数の受小梁２７が架け渡されており、各床小梁２５は脱衣室スペースＳ２側に配置されている。床小梁２５は、四角筒状の角形鋼よりなる支持部材であり、長手方向両端部が床大梁２３に対して上端寄りにそれぞれ連結されている。一方、各受小梁２７は浴室スペースＳ１側に配置されている。受小梁２７は四角筒状の角形鋼よりなる支持部材であり、長手方向両端部が床大梁２３に対しての下端寄りにそれぞれ連結されている。上記構成によれば、受小梁２７の上面の高さ位置は床小梁２５の上面よりも下方に存在していることになる。
【００２９】
ここで、浴室用の建物ユニット２０ａの構成について、図１〜図３を参照しつつ説明する。図１は浴室１５周辺の構成を示す平面図、図２は浴室１５周辺の構成を示す断面図、図３は支持フレーム４９の構成を示す斜視図である。
【００３０】
図１及び図２に示すように、建物ユニット２０ａには、浴室１５を形成する浴室ユニット３１が設置されている。浴室１５の隣には脱衣室１６が配置されており、脱衣室１６には洗濯機３２が設置されている。浴室１５と脱衣室１６との間には仕切壁３３が設けられており、仕切壁３３には洗濯機３２への給水を行う所定設備としての洗濯機用水栓３４が設けられている。洗濯機用水栓３４は連結ホースにより洗濯機３２の給水装置に対して連結されている。
【００３１】
浴室ユニット３１は、浴室１５において壁面を形成する壁パネル３５と、天井面を形成する天井パネル３６と、床面を形成する浴室床パン３７と、浴槽３８とを有しており、それら壁パネル３５、天井パネル３６、浴室床パン３７及び浴槽３８は一体的に形成されている。浴室床パン３７と浴槽３８とは横並びで設けられており、浴槽３８は浴室床パン３７を挟んで脱衣室１６とは反対側に配置されている。浴槽３８の底部には浴槽排水口４１が形成されており、浴槽排水口４１から止水栓が抜かれることにより浴槽３８内の残り湯等が浴槽排水として排出される。
【００３２】
浴室床パン３７の上方空間は洗い場スペースとして使用され、浴室床パン３７は洗い場床パネルに相当する。浴室床パン３７は、浴槽３８の底部より上方に配置されており、浴槽３８の底面より高い位置にて床面を形成している。この場合、浴室床パン３７の上面から浴槽３８の上端までの高さ寸法は、浴槽３８の深さ寸法より小さくなっている。つまり、浴槽３８の側部をまたぐために必要なまたぎ高さが浴槽３８の側部より低くなっている。したがって、入浴者は浴槽３８内と洗い場スペースとを容易に行き来することができる。
【００３３】
浴室床パン３７の浴槽３８側の端部には床パン排水口４５が形成されており、床パン排水口４５は、浴室蛇口４６やシャワーヘッド４７から放出された湯を洗い場排水として排出する。なお、浴室床パン３７の上面は床パン排水口４５の部分が最も低くなるように全体的に傾斜している。
【００３４】
浴室ユニット３１の下方には、その浴室ユニット３１を支持する支持フレーム４９が設けられている。図３に示すように、支持フレーム４９は、水平方向に延びているベース部４９ａと、ベース部４９ａから上方に向けて延びている起立部４９ｂと、ベース部４９ａの上方にて水平方向に延びている水平部４９ｃとを有している。ベース部４９ａ、起立部４９ｂ及び水平部４９ｃは、棒状のフレーム材によりそれぞれ形成されている。起立部４９ｂは複数設けられており、その上端部に水平部４９ｃが接続されている。これにより、起立部４９ｂの強度が増している。
【００３５】
図２に示すように、支持フレーム４９は、建物ユニット２０ａに対してベース部４９ａが受小梁２７上に載置された状態で、且つ起立部４９ｂが上下方向に延びる状態で受小梁２７上に設置されており、起立部４９ｂの上端部には浴室ユニット３１の浴室床パン３７が載置されている。この場合、起立部４９ｂは受小梁２７上にて浴室床パン３７を支持しており、浴室床パン３７の下方空間を形成していることになる。この下方空間は、浴室床パン３７の下面と受小梁の下面との間に形成されており、浴室床下空間に相当する。また、受小梁２７が梁材に相当する。なお、浴室床パン３７と受小梁２７との離間距離は浴槽３８の底部と受小梁２７との離間距離より大きくなっている。
【００３６】
浴室床パン３７の下方には、浴槽３８から排出された浴槽排水が貯留される貯留タンク５１が設置されている。貯留タンク５１は扁平形状の略直方体となっており、浴室床パン３７の下方スペースより小さくなっている。具体的には、高さ寸法が浴室床パン３７の下面と受小梁２７の下面との間の寸法より小さくなっている。また、平面視においては、縦寸法及び横寸法が、隣り合う受小梁２７の離間距離及びそれら受小梁２７が掛け渡されている一対の床大梁２３の離間距離より小さくなっている。この場合、貯留タンク５１は、隣り合う受小梁２７の間において、建物ユニット２０ａの下端側境界線であるスタッキングラインＳＬより下方に突出しない状態となっている。
【００３７】
なお、貯留タンク５１は支持金具により支持されている。具体的には、支持金具は、貯留タンク５１を挟む受小梁２７に掛け渡されている掛け渡し部と、掛け渡し部の両端に設けられ且つ各受小梁２７に引っ掛けられる引っ掛け部とを有しており、貯留タンク５１は掛け渡し部の上に載置されることで受小梁２７に対して固定されたことになる。この場合、貯留タンク５１及び掛け渡し部は受小梁２７の下面より下方に突出しない状態で設置されている。
【００３８】
貯留タンク５１は、浴槽３８の容量（例えば２００〜３００リットル）より小さく且つ洗濯機３２の容量（例えば３０〜６０リットル）より大きい容量（例えば１００リットル）となっている。また、貯留タンク５１は断熱材料により形成されており、貯留している浴槽排水を保温する機能を有している。なお、貯留タンク５１は、その周囲がウレタンフォームやガラスウールなどの断熱材により覆われていてもよい。この場合でも、貯留タンク５１に保温機能が付与されていることになる。
【００３９】
本実施形態では、浴槽３８から排出された浴槽排水が洗濯機３２にて再利用される構成となっている。具体的には、貯留タンク５１には水が流れ込む流入口５２と水が流れ出る流出口５３とが形成されており、流入口５２は浴槽側配管５４を介して浴槽排水口４１と接続され、流出口５３は給水配管としての洗濯機側配管５５を介して洗濯機用水栓３４と接続されている。洗濯機側配管５５は浴室ユニット３１の壁パネル３５と仕切壁３３との間に配置されており、仕切壁３３に沿うようにして貯留タンク５１から洗濯機用水栓３４へ向けて上下方向に延びている。
【００４０】
洗濯機側配管５５には電動式の給水用ポンプ５７が設けられており、給水用ポンプ５７の駆動に伴って貯留タンク５１から洗濯機用水栓３４へ浴槽排水が供給される。一方、貯留タンク５１の流入口５２は浴槽排水口４１よりも低い位置に形成されており、浴槽排水口４１から止水栓が抜かれることで浴槽排水が浴槽３８から貯留タンク５１へ流れ込むようになっている。なお、浴槽側配管５４及び洗濯機側配管５５は断熱材により覆われている。
【００４１】
ここでは、洗濯機用水栓３４、洗濯機側配管５５及び給水用ポンプ５７を含んで給送手段が構成されており、洗濯機３２が給送先に相当する。
【００４２】
貯留タンク５１には、流出口５３の他に、貯留タンク５１内の水位が所定レベル以上になることで水を排出するオーバーフロー排水口５８が形成されている。オーバーフロー排水口５８は貯留タンク５１の上部に配置されており、オーバーフロー排水口５８にはオーバーフロー排水管５９が接続されている。この場合、貯留タンク５１内の貯留量が所定量に達するとオーバーフロー排水口５８から貯留水が排出されるため、貯留量に関係なく浴槽排水を浴槽３８から貯留タンク５１に流れ込ませることができる。しかも、この場合、貯留タンク５１内の水の入れ替えが促されることになる。
【００４３】
貯留タンク５１において、流入口５２は浴槽３８側に配置されており、流出口５３及びオーバーフロー排水口５８は浴槽３８とは反対側（脱衣室１６側）に配置されている。この場合、貯留タンク５１において浴槽排水の流入と流出が左右反対側にて行われるため、例えば浴槽排水の流入と流出が左右同じ側にて行われる場合と異なり、貯留水の滞留が生じにくくなる。つまり、貯留タンク５１において既に貯留されている古い浴槽排水と新たに浴槽３８から流れ込んできた新規の浴槽排水とが入れ替わりやすくなる。
【００４４】
貯留タンク５１の下部にはタンク排水口６１が形成されており、タンク排水口６１にはタンク排水管（図示略）が接続されている。また、浴室床パン３７の床パン排水口４５には床パン排水管６２が接続されている。
【００４５】
次に、浴槽排水が流れる経路について図４を参照しつつ説明する。図４は、浴室１５周辺の水の流れ及び電気的な構成を示すブロック図である。
【００４６】
図４に示すように、浴槽３８の浴槽排水口４１は、浴槽側配管５４よりなる浴槽側経路７１を介して貯留タンク５１の流入口５２と接続されており、貯留タンク５１の流出口５３は、洗濯機側配管５５よりなる洗濯機側経路７２を介して洗濯機用水栓３４と接続されている。したがって、浴槽排水は浴槽３８から洗濯機用水栓３４に供給される場合に浴槽側経路７１、貯留タンク５１及び洗濯機側経路７２を流れることになる。
【００４７】
浴槽側経路７１には、電気式の配管開閉装置としての浴槽側バルブ７３が設けられており、浴槽側バルブ７３は閉状態に移行することにより浴槽側経路７１における水の流れを停止させる。また、洗濯機側経路７２においては、給水用ポンプ５７が駆動することにより水が強制的に流される。
【００４８】
浴槽側経路７１は、浴槽排水口４１と浴槽側バルブ７３との間において、下水設備７５に通じる浴槽排水経路７６に分岐している。したがって、浴槽排水は浴槽３８から下水設備７５に排出される場合に浴槽側経路７１から浴槽排水経路７６に流れ込むことになる。また、浴槽排水経路７６には電気式の配管開閉装置としての浴槽排水バルブ７７が設けられており、浴槽排水バルブ７７は閉状態に移行することにより浴槽排水経路７６における水の流れを停止させる。なお、下水設備７５は、流れ込んだ水を下水として扱う設備であり、例えば下水道や浄化槽などを含んで構成されている。
【００４９】
浴槽排水経路７６において浴槽排水バルブ７７と下水設備７５との間には、浴室床パン３７の床パン排水口４５に通じる床パン排水経路８１が接続されている。したがって、洗い場排水は、浴室床パン３７から下水設備７５に排出される場合に床パン排水経路８１から浴槽排水経路７６に流れ込むことになる。なお、床パン排水経路８１は床パン排水管６２を含んで形成されている。
【００５０】
浴槽排水経路７６において浴槽排水バルブ７７と下水設備７５との間には、さらに、貯留タンク５１のオーバーフロー排水口５８に通じるオーバーフロー排水経路８２と、貯留タンク５１のタンク排水口６１に通じるタンク排水経路８３とが接続されている。したがって、貯留タンク５１内の浴槽排水は、オーバーフロー排水口５８から下水設備７５に排出される場合にオーバーフロー排水経路８２から浴槽排水経路７６に流れ込み、タンク排水口６１から下水設備７５に排出される場合にタンク排水経路８３から浴槽排水経路７６に流れ込むことになる。
【００５１】
また、タンク排水経路８３には電気式の配管開閉装置としてのタンク排水バルブ８５が設けられており、タンク排水バルブ８５は閉状態に移行することによりタンク排水経路８３における水の流れを停止させる。なお、オーバーフロー排水経路８２はオーバーフロー排水管５９を含んで形成されている。
【００５２】
続いて、浴槽排水の流れを制御するための電気的な構成について説明する。
【００５３】
制御手段としてのコントローラ９１には、給水用ポンプ５７、浴槽側バルブ７３、浴槽排水バルブ７７及びタンク排水バルブ８５が接続されている。コントローラ９１は、ＣＰＵや各種メモリからなるマイクロコンピュータを含んで構成されており、指令信号を出力することにより、給水用ポンプ５７、浴槽側バルブ７３、浴槽排水バルブ７７及びタンク排水バルブ８５の動作制御を行う。この場合、給水用ポンプ５７の動作制御が洗濯機用水栓３４への浴槽排水の給水制御に相当し、浴槽側バルブ７３の動作制御が貯留タンク５１への浴槽排水の流入制御に相当する。また、浴槽排水バルブ７７の動作制御が浴槽３８からの浴槽排水の排出制御に相当し、タンク排水バルブ８５の動作制御が貯留タンク５１からの浴槽排水の排出制御に相当する。
【００５４】
コントローラ９１は、例えば脱衣室１６に設置されており、コントローラ９１は手動操作が可能な操作部９２を有している。住人等は操作部９２に対して入力操作を行うことにより浴槽排水の再利用に関する設定を行うことが可能となる。
【００５５】
コントローラ９１には、貯留タンク５１の貯留量を検出する貯留量センサ９５が電気的に接続されている。貯留量センサ９５は貯留タンク５１に設けられており、検出信号をコントローラ９１に対して出力する。
【００５６】
ここで、コントローラ９１により行われる浴槽排水の供給制御について説明する。
【００５７】
コントローラ９１は、貯留量センサ９５の検出信号に基づいて貯留タンク５１の貯留量を算出する。貯留タンク５１の貯留量が所定量（例えば５リットル）以上であり、操作部９２から浴槽排水の要求信号を受信した場合、給水用ポンプ５７を駆動させて貯留タンク５１から洗濯機側経路７２を通じて洗濯機３２へ浴槽排水を供給する。なお、浴槽排水の要求信号は、例えば、操作部９２に対して洗濯機３２にて浴槽排水を利用する旨の入力操作が行われた場合に操作部９２からコントローラ９１に対して出力される信号である。
【００５８】
一方、貯留タンク５１の貯留量が所定量より少ない場合や、浴槽排水の要求信号を受信しない場合は、給水用ポンプ５７を駆動させない。この場合、貯留タンク５１から洗濯機用水栓３４への給水が行われない。なお、洗濯機３２の給水装置には、洗濯機用水栓３４の他に水道管用水栓が接続されており、水道管用水栓が開放されることで洗濯機３２に水道水が供給される。
【００５９】
操作部９２から浴槽排水の貯留信号を受信した場合、浴槽側バルブ７３を開状態とするとともに、浴槽排水バルブ７７及びタンク排水バルブ８５を閉状態とし、さらに、給水用ポンプ５７を駆動させない。この場合、浴槽排水口４１から排出された浴槽排水は、浴槽側経路７１を通じて貯留タンク５１に流れ込む。そして、貯留タンク５１が満杯になってもさらに浴槽排水が貯留タンク５１に流れ込む場合は、貯留タンク５１内の浴槽排水がオーバーフロー排水口５８からオーバーフロー排水経路８２を通じて下水設備７５へ排出される。なお、浴槽排水の貯留信号は、例えば、操作部９２に対して貯留タンク５１に浴槽排水を貯留する旨の入力操作が行われた場合に操作部９２からコントローラ９１に対して出力される信号である。
【００６０】
浴槽排水の貯留信号を受信しない場合、浴槽側バルブ７３を閉状態とするとともに、浴槽排水バルブ７７を開状態とする。この場合、浴槽排水口４１から排出された浴槽排水は、浴槽排水経路７６を通じて下水設備７５に排出される。この場合、浴槽排水が貯留タンク５１に流れ込むことはない。これにより、浴槽３８内に貯留されている残り湯が酷く汚れている場合や、湯に入浴剤が投入された場合でも、貯留タンク５１内の貯留水を再利用に適した水質にて保持できる。
【００６１】
操作部９２から浴槽排水の排出信号を受信した場合、タンク排水バルブ８５を開状態とする。この場合、貯留タンク５１に貯留されている浴槽排水がタンク排水口６１から排出されるとともに、タンク排水経路８３を通じて下水設備７５へ流れ込む。これにより、貯留タンク５１の貯留量を減少させることや貯留タンク５１を空にすることが可能となる。これにより、汚れの酷い貯留水を貯留タンク５１から排出することが可能となる。なお、浴槽排水の排出信号は、例えば、操作部に対して貯留タンク５１から貯留水を排出する旨の入力信号が行われた場合に操作部９２からコントローラ９１に対して出力される信号である。
【００６２】
ところで、浴室用の建物ユニット２０ａは工場で製作され、その後、ユニット式建物１０の建築現場へ運搬される。ここでは、工場における建物ユニット２０ａの製作工程について説明する。
【００６３】
工場においては、まず、建物ユニット２０ａにおける直方体状の骨格を形成する。そして、建物ユニット２０ａの受小梁２７上に支持フレーム４９を載置し、支持フレーム４９により形成された設置スペースに貯留タンク５１を設置する。その後、支持フレーム４９上に浴室ユニット３１を載置し、それら建物ユニット２０ａの骨格と支持フレーム４９と貯留タンク５１と浴室ユニット３１とをネジや溶接等により相互に固定する。
【００６４】
そして、浴槽排水口４１と貯留タンク５１の流入口５２とには浴槽側配管５４を接続し、貯留タンク５１の流出口５３には洗濯機側配管５５を接続する。浴槽側配管５４は浴室ユニット３１の下方スペースにて浴室ユニット３１や支持フレーム４９などに対して固定し、洗濯機側配管５５は浴室ユニット３１の壁パネル３５の外側面に対して固定する。
【００６５】
また、貯留タンク５１について、オーバーフロー排水口５８にはオーバーフロー排水管５９を接続するとともに、タンク排水口６１にはタンク排水管を接続し、さらに、浴室床パン３７の床パン排水口４５には床パン排水管６２を接続する。これらオーバーフロー排水管５９やタンク排水管、床パン排水管６２は、浴槽側配管５４と同様に、浴室ユニット３１の下方スペースにて浴室ユニット３１や支持フレーム４９などに対して固定する。
【００６６】
さらに、給水用ポンプ５７を洗濯機側配管５５に取り付ける作業や、浴槽側バルブ７３を浴槽側配管５４に取り付ける作業、浴槽排水バルブ７７を浴槽排水管に取り付ける作業、タンク排水バルブ８５をタンク排水管に取り付ける作業を行う。
【００６７】
なお、工場では、浴槽排水が流れる経路を形成する部材が建物ユニット２０ａの外周面から外側へ突出しないように取り付けられている。例えば、オーバーフロー排水管５９やタンク排水管、床パン排水管６２については、それぞれを部分的に貯留タンク５１や浴室床パン３７に対して取り付けておく。
【００６８】
工場において、建物ユニット２０ａに対する浴室ユニット３１や貯留タンク５１等の取り付け作業が完了した後、それら建物ユニット２０ａを運搬し、建築現場にて設置する。この場合、建物ユニット２０ａにおける床大梁２３や天井大梁２２、柱２１よりも外周側へ貯留タンク５１やオーバーフロー排水管５９等が突出していないため、建物ユニット２０ａの運搬や建築現場における設置に際して、貯留タンク５１やオーバーフロー排水管５９を破損させることを抑制できる。さらに、建物ユニット２０ａの設置場所に対して貯留タンク５１の設置スペースをあらかじめ形成しておく作業を行う必要がないため、作業工数の増加を抑制できる。
【００６９】
なお、オーバーフロー排水管５９やタンク排水管、床パン排水管６２については、建物ユニット２０ａを設置した後に、残りの部分を取り付けることで下水設備７５に接続する。
【００７０】
以上詳述した本実施形態によれば、以下の優れた効果が得られる。
【００７１】
浴槽排水口４１と貯留タンク５１の流入口５２とが浴槽側配管５４により接続され、さらに、貯留タンク５１の流出口５３と洗濯機用水栓３４とが洗濯機側配管５５により接続されているため、貯留タンク５１に浴槽排水を一時的に貯留し、貯留タンク５１から洗濯機３２へ浴槽排水を供給することができる。したがって、入浴中など浴槽３８内の湯を排出できない場合でも、浴槽排水を洗濯に再利用することができる。
【００７２】
また、浴室１５において、入浴後に浴槽３８内の残り湯をそのまま残しておくと、浴室１５内の湿気等によりカビ等の発生が懸念される。ゆえに、入浴後には残り湯を排出し、さらに除湿すること等が行われる。しかしながら、これでは残り湯の再利用ができない。これに対して、残り湯を浴槽３８から貯留タンク５１に移すと、残り湯の洗濯への再利用を可能にしつつ、浴室１５内のカビ等の発生を抑制できる。
【００７３】
また、浴室用の建物ユニット２０ａにおいて、貯留タンク５１は浴室床パン３７の下方に設置されている。ここで、浴室床パン３７の床面は浴槽３８の底面よりも高い位置にあり、浴槽３８のまたぎ高さが極力低くされている。この場合、浴室床パン３７の下方スペースがデッドスペースになり得るが、本実施形態では、浴室ユニット３１を支持する支持フレーム４９により浴室床パン３７の下方に貯留タンク５１の設置スペースが形成されているため、デッドスペースを有効利用することになる。また、貯留タンク５１が浴室１５内や脱衣室１６内に設置されている構成とは異なり、貯留タンク５１によって浴室１５や脱衣室１６の有効スペースが狭くなることや、浴室１５や脱衣室１６の使用に際して貯留タンク５１が邪魔になることがない。さらに、貯留タンク５１が地下に埋設されている構成に比べて、貯留タンク５１から洗濯機用水栓３４へ浴槽排水を供給するために必要な負荷が小さくなるため、給水用ポンプ５７の容量を小さくしても洗濯機３２への給水が可能となる。
【００７４】
以上の結果、浴槽３８から排出された浴槽排水を貯留タンク５１にて一時的に貯留してから再利用する構成において、貯留タンク５１を好適に設置することができる。
【００７５】
浴室ユニット３１を支持する支持フレーム４９により浴室床下空間が浴室床パン３７の下方に形成されており、浴室床下空間に貯留タンク５１が設置されている。この場合、支持フレーム４９の起立部４９ｂが浴室床パン３７を支持する役割と浴室床下空間を形成する役割とを両方とも果たしているため、浴室床下空間を形成するための専用部材を支持フレーム４９（起立部４９ｂ）の他に設ける必要がない。したがって、貯留タンクを浴室床下空間に設置する構成において、部品点数の増加を抑制できる。
【００７６】
貯留タンク５１は建物ユニット２０ａの受小梁２７よりも下方に突出することなく設置されているため、受小梁２７よりも下方に貯留タンク５１を設置するためのスペースを形成する必要がない。したがって、貯留タンク５１を浴室床下空間に設置する構成において、作業工数の増加を抑制できる。
【００７７】
貯留タンク５１と洗濯機用水栓３４とを接続する洗濯機側配管５５は、浴室１５と脱衣室１６との間に設けられた仕切壁３３に沿って上下方向に延びるように設けられている。この場合、仕切壁３３と浴室ユニット３１の壁パネル３５との間のスペースを配管スペースとして有効に利用することになる。つまり、仕切壁３３に沿って延びるデッドスペースを有効利用することができる。
【００７８】
洗濯機用水栓３４が仕切壁３３に設けられているため、例えば洗濯機用水栓３４が脱衣室１６における浴室１５とは反対側の壁面に設けられている構成に比べて、給水に際して給水用ポンプ５７に加えられる負荷が小さくなるため、給水用ポンプ５７の小型化を図ることが可能となる。
【００７９】
浴槽３８から貯留タンク５１へ浴槽排水が流れ込んだ場合、貯留タンク５１内の水位が所定レベル以上になることで貯留水がオーバーフロー排水口５８から排出される。したがって、貯留タンク５１の貯留量に関係なく浴槽３８から貯留タンク５１へ浴槽排水を供給することができる。また、オーバーフロー排水口５８から貯留水が排出されることにより貯留タンク５１内の水の入れ替えが促されることになるため、貯留タンク５１に古い浴槽排水が貯留され続けることを抑制できる。つまり、貯留タンク５１内の貯留水の衛生性が低下することを抑制できる。
【００８０】
貯留タンク５１が浴室床パン３７の下方スペースという狭小スペースに設置されているため、貯留タンク５１の容量が浴槽３８の容量より小さいことが好適である。その一方で、貯留タンク５１に入りきらない分の浴槽排水をオーバーフロー排水口５８から排出することができる。また、貯留タンク５１の容量は洗濯機３２の容量より大きいため、貯留タンク５１が満杯である場合、洗濯に利用する浴槽排水が不足することを回避できる。
【００８１】
貯留タンク５１の浴槽３８側に流入口５２が形成されているため、浴槽排水口４１と流入口５２とを接続する浴槽側配管５４を極力短くすることができる。つまり、配管材料を極力少なくしてコストを低減させることができる。
【００８２】
扁平形状である貯留タンク５１において、流入口５２とは反対側に流出口５３やオーバーフロー排水口５８が配置されているため、浴槽排水が流入する側とは反対側から浴槽排水が流出する。この場合、浴槽排水の流入や流出に伴って貯留タンク５１内の全体で水の流れが生じやすくなり、貯留タンク５１内での浴槽排水の滞留が抑制される。この結果、貯留タンク５１内での水の入れ替わりをより一層促すことができる。
【００８３】
浴室床パン３７の床パン排水口４５から洗い場排水が排出される場合、洗い場排水は床パン排水経路８１を通じて下水設備７５に流れ込む。この場合、洗い場排水が貯留タンク５１に流れ込むことはないため、洗い場スペースにて使用されたシャンプーやボディーソープなどを含んだ残り湯排水が洗濯機３２に供給されることが回避される。したがって、残り湯排水に比べて衛生性が高い浴槽排水を利用して洗濯を行うことができる。
【００８４】
貯留タンク５１、浴槽側配管５４及び洗濯機側配管５５に断熱性能が付与されているため、浴槽３８から洗濯機用水栓３４まで供給される浴槽排水の温度が低下することを抑制できる。また、浴室１５と脱衣室１６とを仕切る仕切壁３３に洗濯機用水栓３４が設けられており、洗濯機側配管５５は極力短くされている。さらに、浴槽３８と隣り合う浴室床パン３７の下方に貯留タンク５１が設置されており、浴槽側配管５４は極力短くされている。以上の結果、浴槽排水が貯留タンク５１や浴槽側配管５４、洗濯機側配管５５の中で温度低下することを抑制できる。したがって、温かい状態の残り湯を洗濯に利用することができる。
【００８５】
（他の実施形態）
本発明は上記実施形態の記載内容に限定されず、例えば次のように実施してもよい。
【００８６】
（１）浴槽排水を貯留する貯留タンク（貯留タンク５１）は、上面が開放された箱形状に形成されていてもよく、非扁平形状に形成されていてもよい。
【００８７】
（２）浴室ユニット３１を支持する支持部材（起立部４９ｂ）は、上下方向に延びる筒状の部材でもよく、板面が上下方向に延びる板状の部材でもよい。
【００８８】
（３）浴室１５には、浴室ユニット３１ではなく、個別に形成された浴槽３８や浴室床パン３７が設置されていてもよい。この場合、支持フレーム４９の起立部４９ｂが浴室床パン３７を支持するとともに浴室床下空間を形成する構成であればよい。
【００８９】
（４）浴室ユニット３１が設置される建物としては、鉄骨ユニット工法により構築されたユニット式建物１０の他に、鉄骨軸組工法により構築された建物や、枠組壁工法により構築された建物が挙げられる。これらの建物においても、支持部材としての起立部４９ｂは床大梁２３や床小梁２５といった梁材の上に載置されることにより、浴室床パン３７の下方に浴室床下空間を形成することができる。
【００９０】
（５）給送手段が貯留タンク５１から浴槽排水を給送する給送先としては、脱衣室１６に設置された洗濯機用水栓３４の他に、トイレの便器に給水する便器用水栓、屋外に設置された屋外用水栓などが挙げられる。
【００９１】
（６）図７に示すように、浴室床パン３７の下面に沿って上側断熱材９８が設けられるとともに、受小梁２７に取り付けられた状態で上側断熱材９８の下方に下側断熱材９９が設けられており、それら上側断熱材９８と下側断熱材９９との間に貯留タンク５１が設けられていてもよい。この場合、例えば下側断熱材９９は、浴室１５の下方において受小梁２７の下面に取り付けられており、スタッキングラインＳＬよりも下方に突出している構成とする。この構成によれば、下側断熱材９９は浴槽３８や浴室床パン３７、貯留タンク５１の下方に存在していることになるため、浴室１５や浴室床パン３７に対してはもちろんのこと貯留タンク５１に対しても保温効果を発揮できる。
【００９２】
ここで、貯留タンク５１は受小梁２７の下面よりも下方に突出していないため、貯留タンク５１の形状や大きさに関係なく下側断熱材９９を受小梁２７の下面に取り付けることが可能となる。したがって、貯留タンク５１が受小梁２７の下面よりも下方へ突出している構成とは異なり、下側断熱材９９を貯留タンク５１の下側に回りこませるといった必要がなく、下側断熱材９９の取り付けに関する作業工数が増加することもない。
【００９３】
また、仮に上側断熱材９８が設けられていなくても貯留タンク５１及び浴室床パン３７に対する断熱効果を発揮することはできるが、下側断熱材９９に加えて上側断熱材９８が設けられていると、断熱材９８，９８の間に挟まれる貯留タンク５１の保温効果をより一層高めることができるとともに、上側断熱材９８と浴室床パン３７との離間距離が小さいことにより浴室床パン３７による浴室１５内の保温効果をより一層高めることができる。
【００９４】
（７）浴室１５の床部に開口部としてのメンテナンス窓部が形成されており、貯留タンク５１及び給送手段（洗濯機側配管５５、給水用ポンプ５７など）の少なくとも一方が浴室床下空間においてメンテナンス窓部の下方に移動可能な構成としてもよい。例えば、メンテナンス窓部が浴室床パン３７における貯留タンク５１の上方に形成されているとともに、貯留タンク５１及び給水用ポンプ５７が移動可能であり、さらに、浴槽側配管５４や洗濯機側配管５５など貯留タンク５１に接続されている配管が伸縮可能である構成とする。この構成によれば、貯留タンク５１をメンテナンス窓部から浴室１５内へ移動させることができるとともに、洗濯機側配管５５や給水用ポンプ５７をメンテナンス窓部の下方に移動させることができる。この結果、作業者は、貯留タンク５１や洗濯機側配管５５、給水用ポンプ５７のメンテナンス作業を、浴室床下空間に潜り込むことなく浴室１５内に居ながらにして容易に行うことができる。
【００９５】
なお、浴室床下空間に設置されている各種配管や、貯留タンク５１などは連結具により互いに連結されてユニット化されていてもよい。例えば、貯留タンク５１に接続されている洗濯機側配管５５及びオーバーフロー排水管５９が連結具により互いに連結されている構成とする。この場合、洗濯機側配管５５及びオーバーフロー排水管５９の一方を移動させることにより他方も移動することになるため、それらをメンテナンス窓部の下方に容易に移動させることができる。
【００９６】
（８）貯留タンク５１は複数設置されていてもよい。例えば、複数の貯留タンク５１が複数の浴槽側配管５４により浴槽排水口４１に対して並列に接続され、給送手段により各貯留タンク５１から別々の給送先に浴槽排水が給送される構成とする。この場合、浴槽排水を複数の給送先にて同時に使用することが可能となる。
【００９７】
また、複数の貯留タンク５１が浴槽排水口４１に対して直列に接続されている構成とする。この場合、貯留タンク５１同士を接続するタンク間配管をその断面積が極力小さいものとすることにより、上流側の貯留タンク５１から下流側の貯留タンク５１に汚れが流れ込みにくくなる。これにより、給送先に給送される浴槽排水から汚れを除去することが可能となる。
【符号の説明】
【００９８】
１５…浴室、１６…脱衣室、２２…梁材としての受小梁、２７…梁材としての受小梁、３１…浴室ユニット、３３…仕切壁、３４…給送手段を構成し且つ脱衣室側水栓装置としての洗濯機用水栓、３７…洗い場床パネルとしての浴室床パン、３８…浴槽、４９ｂ…支持部材としての起立部、５１…貯留タンク、５４…配管としての浴槽側配管、５５…給送手段を構成し且つ給水配管としての洗濯機側配管、５７…給送手段を構成する給水用ポンプ、５８…オーバーフロー排水口、９８…上側断熱材、９９…下側断熱材。
【図１】
2011017232.tif 000003
【図２】
2011017232.tif 000004
【図３】
2011017232.tif 000005
【図４】
2011017232.tif 000006
【図５】
2011017232.tif 000007
【図６】
2011017232.tif 000008
【図７】
2011017232.tif 000009